(57)【要約】【課題】従来の排泄物測定装置では、使用者がいつでも測定できるようにセンサへ連続通電しているが、連続通電することによりセンサの感度および／または選択性が低下し、その結果、測定精度が低下し、センサの寿命が短くなる。【解決手段】トイレ内での用便行為により得られた使用者の排泄物の中に含まれる成分を検出または測定するセンサが搭載された排泄物測定装置において、少なくともセンサへの通電をしていない状態から、所定時刻から自動的に通電の状態に切り換えて立ち上げ、試料採取・測定できる待機状態とし、所定回数の測定を行なった後、または所定時間が経過した後、センサへの通電を中止し、立ち上げる前の状態に戻す機能を備えたことで、センサへ連続通電せずに支障なく使用できるようにした。【選択図】図４
2004085200.tif 000002
【特許請求の範囲】
【請求項１】
トイレ内での用便行為により得られた使用者の排泄物の中に含まれる成分を検出または測定する過酸化水素測定型バイオセンサセンサが搭載された排泄物測定装置であって、少なくとも前記バイオセンサへの通電をしていない状態から、所定時刻から自動的に通電の状態に切り換えて立ち上げ、試料採取・測定できる待機状態とし、所定回数の測定を行なった後、または所定時間が経過した後、センサへの通電を中止し、立ち上げる前の状態に戻す機能を備えたことを特徴とする、排泄物測定装置。
【請求項２】
センサへの通電を中止するタイミングを、所定回数の最終回の測定が開始するまでの時間が所定時間よりも短い場合は所定回数の測定が終了する時刻とし、所定時間内で所定回数に達していない場合は所定時間が経過した時刻とする、請求項１記載の排泄物測定装置。
【発明の詳細な説明】
【０００１】
【発明の属する技術分野】
本発明は、過酸化水素測定型バイオセンサセンサを用いた成分測定装置、特に排泄物の成分を測定する装置に関する。
【０００２】
【従来の技術】
高齢化に伴う医療費の高騰、および人々の健康意識の向上に伴い、在宅など非医療機関での自己健康チェックと管理がこれから重要になっていくと予想される。その一例はセンサを搭載したトイレ設置型排泄物測定装置を用いて健康をチェックし管理することである。
【０００３】
従来、排泄物測定装置として、例えば図８に示す特開平１１−１３３０２４に示される尿検査装置がある。このものにおいては、尿検査装置１０は計測本体１１と採尿ユニット１２とからなり、採尿ユニット１２が洋式便器１４のリムに装着される。採尿ユニット１２には採尿アーム１３があり、図示しないが、その先端部は採尿口を備えた碗形形状を呈しており、採尿位置にて採尿口が略上方を向くように取付けられている。
【０００４】
而して、使用者が放尿する前に、計測本体１１に設けたスタートボタン（図示せず）を押すと、採尿アーム１３が移動し、その先端部の採尿口が尿を受ける状態になる。次いで使用者が採尿口に向かって放尿し、一定量の尿が溜まって尿が検知されると自動的に採尿と計測が始まり、結果を表示する。
【０００５】
尿中に含まれ、人の健康状態を反映する成分として、尿素、アンモニア、クレアチニン、尿酸、ナトリウムイオン等の代謝廃棄物、尿糖（グルコース）、蛋白、潜血等の病的成分、およびホルモン、酸化ストレス指標、ガンマーカーなどの微量成分が例として挙げられる。これらの成分は人の健康状態に応じてその濃度が大きく変動する。計測本体にはこれらの成分に対応するセンサ（主として酵素や抗体などを利用したバイオセンサ）が内蔵されている。ここで尿糖（グルコース）を測定する過酸化水素測定型バイオセンサを例としてその原理を説明する。
【０００６】
グルコースを測定するバイオセンサとしては過酸化水素電極とグルコース酸化酵素（ＧＯＤ）とを組み合わせた酵素電極を備えた過酸化水素測定型バイオセンサが一般的によく用いられている。
【０００７】
電流測定型トランスデューサの一種である過酸化水素電極は、過酸化水素の他に、尿酸やアスコルビン酸などの還元性物質（以下、妨害成分という）に対しても応答し電流が発生するので、純粋に尿糖のみを測定できない。このような妨害成分の影響を押さえるために電極表面又はその近辺に共存妨害物質を排除し過酸化水素を選択的に、或いは優先的に透過させる選択透過膜を設けることがもっともよく利用される手法である。
【０００８】
図９にこのタイプのバイオセンサの基本構造を示す。その原理を簡単に説明すると、センサを被測定媒体に接触させると、標的成分であるグルコースが酵素膜８の中へ拡散し、酵素膜８に含まれるＧＯＤにより酸化され過酸化水素が生成される。生成された過酸化水素が過酸化水素選択透過膜７を通り越して基体６表面の過酸化水素電極５に達する。
【０００９】
基体６の過酸化水素電極５は、例えば作用極、対極及び参照極からなる３極構造をしており、図１０に示すようなポテンシオスタット回路に接続され、予め参照極と作用極との間に一定の電圧（例えばＡｇ／ＡｇＣｌ参照極に対して０．６Ｖ）が印加されており、作用極の表面に到達した過酸化水素が、反応式１）に示すような反応で酸化され、過酸化水素の２倍のモル数の電子が発生し、電子情報（電流値）に変換される。電子情報は一般的に過酸化水素が作用極表面に接する前（ベース電流）と接した後の電流値の比較で取り出される。したがって、正確な測定を行なうにはベース電流が安定していることが重要である。
【００１０】
Ｈ２Ｏ２　→　２Ｈ＋　＋　Ｏ２　＋　２ｅ−　　　　　　　　　反応式１）
【００１１】
一方、共存妨害成分がグルコースと同様に酵素膜８まで拡散するが、酵素膜８と過酸化水素電極５との間に設けられている選択透過膜７により排除され、電極５表面に到達できない。これにより出力電流が標的成分に由来するものであることを保証し、測定精度が確保される。
【００１２】
すでに述べたように、正確な測定を行なうにはベース電流が安定していることが重要である。ここでポテンシオスタット回路が作動し作用極に電圧が印加されている状態を通電と定義する。通電介してから安定したベース電流（ここで「安定」とはベース電流のシフトによる測定精度への影響が保証範囲を超えないレベル以下として定義する）が得られるまでの時間は電極の材料や表面構造、および通電履歴などにより異なるが、通常、１０〜３０分間が必要である。
【００１３】
トイレ設置型排泄物測定装置では、センサや装置に関する知識が全く無い一般人の使用に耐えることは勿論、使用者がトイレに入って用便すると、直ぐに測定開始できること、短時間で測定結果を出力することが大事である。というのは、使用者がトイレに入ってから、電圧を印加しベース電流が安定するまで１０分間以上も待ってから放尿を開始することや、放尿してから測定結果を得るまで長時間待つことは現実的ではないからである。
【００１４】
この不都合を解消する目的で、いつでも直ぐに測定開始できるようにするために、従来のトイレ設置型排泄物測定装置（以下単に排泄物測定装置）ではセンサへ常時通電（連続通電）している。
【００１５】
しかし、センサへ常時通電すると、以下に示すような課題が生じる。ひとつは、通電時間の経過に伴い表面が徐々に酸化されて過酸化水素に対する反応が鈍くなり、単位濃度の過酸化水素に対して出力（感度）が経時的に低下することである。一方、妨害成分に対する感度は電極が酸化されても低下しない。結果的にＳ／Ｎ比が悪くなり装置の精度低下につながる。
【００１６】
もう一つは、通電時間の経過に伴い選択透過膜の妨害成分排除性能（選択性）の著しい低下がしばしば起きることである。
【００１７】
感度と選択性がセンサの寿命を規定する重要なファクターであり、常時のセンサへの連続通電はセンサの感度および選択性の低下につながり、センサの使用寿命が短くなる。
【００１８】
センサへの連続通電による感度の低下を緩和するために、特開２０００−２４１４１０に示されているように、測定時に高電位を印加し、非測定時はより低い低電位に切り換える手法が考えられる。
【００１９】
【発明が解決しようとする課題】
しかしながらこのものにおいては、低電位から高電位に切り換える時、通電状態の激変によりベース電流が大きく上昇し、再び安定するまでやはり一定の時間が必要で、安定するまでの所要時間は電位のシフト幅が大きいほど長くなる。
【００２０】
人体検知センサあるいは操作スイッチによる電位の切り換えで直ぐに測定可能にするには、ベース電流が安定するまでの時間を短くする必要があるが、この場合、非測定時に印加される低電位を必然的に高くする必要があり、その結果感度低下抑制効果が薄くなる。また、この方法では選択性の低下防止効果も余り期待できない。
【００２１】
本発明はこの不都合を解消し、健康状態の推移をチェックするには排泄物を略決まった時間帯に定期的に測定することが好ましいことに着目し、その時間帯に直ぐに測定できるように予めセンサに通電を開始し、測定終了後はセンサへの通電を停止して、センサへの通電時間を大幅に短くすることを目的とする。
【００２２】
【課題を解決するための手段】
上記課題を解決するために、本発明による排泄物測定装置はトイレ内での用便行為により得られた使用者の排泄物の中に含まれる成分を検出または測定するセンサが搭載された排泄物測定装置であって、少なくともセンサへの通電をしていない状態から、所定時刻から自動的に通電の状態に切り換えて立ち上げ、試料採取・測定できる待機状態とし、所定回数の測定を行なった後、または所定時間が経過した後、センサへの通電を中止し、立ち上げる前の状態に戻す機能を備えたことを特徴としている。
【００２３】
このような機能を備えたことにより、所定の時刻から立ち上げ、立ち上げが完了した時点から測定ができる状態になるので、常時通電と同様に使用者待たせることがない。
【００２４】
一方、所定回数の測定を行なった後、または所定時間が経過した後、センサへの通電が自動的に中止されるので、連続通電に由来する感度低下、選択性低下、エネルギーの無駄消費などが解決され、勿論センサ寿命も長くなる。
【００２５】
さらに、尿成分濃度は一般的に日内変化が激しいので、測定時間帯をある程度特定することによって測定結果の比較がし易くなり健康管理チェックおよび管理の効果を高めるメリットがある。
【００２６】
また、センサへの通電を中止するタイミングを、所定回数の最終回の測定が開始するまでの時間が所定時間よりも短い場合は所定回数の測定が終了する時刻とし、所定時間内で所定回数に達していない場合は所定時間が経過した時刻とするので、センサへの通電時間を必要最小限に抑えると同時に、例えば使用者の留守または測定忘れなどのケースにも対応できる。
【００２７】
尚、通電していない時間帯では直ぐに測定を開始することができないが、使用者が一般的に限定され、使用頻度も低い一般家庭等に設置される排泄物測定装置では十分である。
【００２８】
【発明の実施の形態】
本発明による排泄物測定装置の特徴はその制御方式にあり、図８に示すような従来の装置と同様な外観上の構造を呈してもよい。
【００２９】
図１は、尿成分測定装置本体の概略を例示した図であり、測定装置本体は例えば２種類の薬液のタンクＡ（２２）、タンクＢ（２４）と、これらタンク内の薬液と、採取された尿試料を、切替または混合して決められた順序でセンサユニット２０に配管を通じて送液する送液ユニット１８、コントローラー２６、操作部２８、および表示部３０とを備えている。
【００３０】
タンクＡ２２には例えばセンサ保存および洗浄のための緩衝溶液が貯留されており、また、タンクＢ２４には、例えばセンサ精度を保つための校正液が貯留されている。送液ユニット１８はサンプル（尿、または校正液）および緩衝液をセンサに送る機能の外に、図示しない採尿部からの尿採取、給水部から洗浄水の供給、および廃液の機能をも備えている。また、センサユニットは尿成分（例えば尿糖）測定センサの外に、温度センサ、液検知センサ等を備え、更にセンサや薬液を一定の温度に保つ加熱部をセンサや薬液タンクの近傍に設けてセンサの検出精度を向上させている。
【００３１】
図２は、尿検査装置１０の電気的な構成を、コントローラ２６を中心として示すブロック図であり、コントローラ２６は、マイクロコンピュータを中心とする論理演算回路として構成されている。
【００３２】
詳しくは、予め設定された制御プログラムや内蔵するタイマーなどに従って送液系駆動モータ２１０等を制御するための各種演算処理を実行するＣＰＵ３００と、ＣＰＵ３００で各種演算処理を実行するのに必要な制御プログラムや制御データ等が予め格納されたＲＯＭ３１０と、同じくＣＰＵ３００で各種演算処理を実行するのに必要な各種データが一時的に読み書きされるＲＡＭ３２０と、各種センサ、例えば尿糖センサ１７０からの検出信号や操作部２８の各種スイッチからの信号を入力してＣＰＵ３００の処理可能な信号に変換する入力処理回路３３０と、ＣＰＵ３００での演算結果に応じて送液系駆動モータ２１０、採尿アーム駆動モータ２２０、通信用端子２４０、表示部３０等に信号を出力する出力処理回路３４０等を備えている。
【００３３】
また、コントローラ２６には、データ等の記憶および支障検出内容を記憶するための不揮発性メモリ（ＥＥＰＲＯＭ３２５）を備えており、万一電源を切られたり停電した場合が生じても、記憶している内容が生じないようにしている。
【００３４】
更に、バックアップ電源３５０を備えており、例えば停電などで電源供給が一時的に断たれてタイマー設定や時刻がずれることを防いでいる。
【００３５】
尚、バックアップ電源を設けずに、タイマーを電波時計と連動させることにより、停電復帰後の時刻設定合わせに不要にするのが好ましい。
【００３６】
温度センサ１００はセンサ薬液または尿糖センサの温度を検出し、その信号に基づいて加熱部を制御し、装置の作動温度を制御する。酵素を利用した尿糖センサの出力は温度依存性を有するので、特にセンサ周辺には温度を一定範囲、例えば２５〜３０℃の間に保つことが望ましい。
【００３７】
正確な尿糖測定を行なうために、尿糖濃度が予め判明している校正液からの出力信号をもって尿測定の信号から尿糖濃度を算出するが、校正時の温度と測定時の温度が異なる場合に備えて、温度センサからの信号は濃度算出の際にも利用される。この校正のタイミングは予めプログラムに組み込むことができるが、校正時刻スイッチ１６２によって設定することもできる。
【００３８】
男性用スイッチ１１０と女性用スイッチ１２０は、便座に座ったとき、男女の放尿位置が異なることに対応するために設けているものであり、採尿器の位置を制御すると同時に、測定のスタートボタンを兼ねている。
【００３９】
取り消しスイッチは、測定動作など、進行中の動作を強制終了するときのために設けており、取り消しスイッチを押すことで進行中の動作を強制終了させることが出来る。
【００４０】
記憶／呼び出しスイッチは、測定値を装置内部に記憶させたり呼び出したりするために設けており、健康状態の経時的な推移を把握するのに役立つ。
【００４１】
現在時刻スイッチは時刻あわせを行なうために設けており、装置設置時あるいは長期間電源を切った後再使用時には必ずこの時刻合わせ操作を行なう。
【００４２】
通電時刻スイッチによって通電開始、通電中止までの通電時間帯または測定回数を設定する。通電開始の時刻は使用者に任意で設定されて良いが、毎日一定にしておくことが望ましい。何故なら、尿成分の日内変動が激しいので、ある決まった時間帯に測定することにより測定データの信頼性が向上されより一層効率よく健康管理を行なうことができる。
【００４３】
特に、朝起床後最初の尿（朝一番尿）は前日の食事内容や健康状態を最も良く反映することが分かっている。従って、使用者の生活リズム（起床時間）に応じて通電開始時刻を例えば朝５時から１０時の間に設定することにより、朝目覚めてトイレに行ったときに測定ができる状態にしておくことが最も望ましい。
【００４４】
通電中止までの通電時間または測定回数については、以下のように設定する。まず測定回数は、装置を使う人数などを勘案して設定する。例えば、一人又は夫婦ふたりで使用するような小人数の場合、人数当り１−４回に設定する。尚、測定のやり直しなどを考慮し、一人当たり最低２回以上に設定することが望ましい。また、大家族、あるいは老人ホームなどの集団生活者が共有する場合、人数に応じて回数を多めに、例えば一人当たり１．２〜１．５の回数に設定する。
【００４５】
次に、通電時間は、想定される使用人数と使用時間、及び設定された測定回数等を勘案してある程度の余裕をもって設定するが、通電時間として１〜３時間の範囲が望ましく、通電時間を短くすればするほどセンサ寿命を長くすることが出来る。
【００４６】
通電中止のタイミングは、設定回数の最終回の測定が開始するまでの時間が設定時間よりも短い場合は設定回数の測定が終了した時点とし、設定時間内で設定の測定回数に達していない場合は所定時間が経過した時点としている。こうすることによって、留守、測定忘れ、またはその他の理由で設定される回数まで達しない場合においても、適切なタイミングで確実に通電を中止することができる。
【００４７】
従って、通電時間の設定は測定回数の設定の後で行なうようにし、設定された回数から想定される最低所要測定時間より長く設定するようにプログラムで制限を加えることが望ましい。更に、想定される家族構成または使用人数から、想定される適切な測定回数と通電時間をセットしてメニュー化し、ボタン操作によるメニュー選択で簡単に設定できるようにするのも良い。尚、通電設定は出荷時予めあるデフォルト値に設定されており、設定操作をしなない限り、このデフォルト値に従って運行される。
【００４８】
図２には尿成分センサとして尿糖センサ１７０を例示しているが、このセンサは図９に示す原理に基づく酵素センサが望ましい。また、尿糖以外の成分を測定する機能を備えた装置において、それぞれの成分に対応したセンサが搭載されるには、言うまでもない。
【００４９】
液面センサ１８０は緩衝液や校正液が入っている薬液タンクの液面位置を検知するセンサであり、液面が一定位置に下がった場合、緩衝液補充ＬＥＤ２６０を点灯させ、薬液の補充タイミングを知らせる。また、尿検知センサ１９０は採尿部へ採取可能な尿量が溜まったかを検知する。尿が検知されたら、送液系駆動モータ２１０を始動させ、一定量の尿をセンサへ運び、測定を開始し、測定結果を蛍光表示管２５０で表示される。一方、測定スイッチ（男性用スイッチ１１０又は女性用スイッチ１２０）が押されてから一定時間（例えば１分間）が経過しても尿が検知されない場合、準備中ＬＥＤ２８０を点灯させ、尿検査装置が洗浄などの終了動作を行ない、次回測定ができる待機状態に戻す。
【００５０】
加熱部２００はセンサおよび薬液を一定範囲の温度に維持するためのものであり、センサまたは送液管周辺、あるいは薬液タンク２２と２４の周辺に設置し、ブザー２３０は尿が検知された、あるいは測定結果が出たなどのタイミングを知らせるために設けている。
【００５１】
尿糖センサ交換ＬＥＤ２７０は、センサが搭載されてからの累計測定回数または経過日数によって点灯し、センサ交換時期を知らせる。センサ交換スイッチと緩衝液補充スイッチは、センサ交換や緩衝液補充を促すために点灯してから一定の回数または日数の余裕があるように予めマージンをとっており、点灯してから緩衝液やセンサを注文しても間に合うようにしている。
【００５２】
準備中ＬＥＤは、前記取り消しスイッチが押された又は尿検知がなかった時に、又通電開始後の立ち上げ時間中、及び尿検査装置設置時あるいはセンサ交換後のイニシアル動作（後述）中に点灯する。
【００５３】
通電表示ＬＥＤ２９０は通電時間中に点灯し、装置が測定できる待機状態を知らせる。なお、通電表示ＬＥＤが消えている状態ではセンサへ通電していないことを示し、測定ボタン（男性用スイッチ１１０又は女性用スイッチ１２０）を押しても装置は作動しない。
【００５４】
設定された通電時間帯以外の時間帯で測定を行う場合は、手動測定スイッチ１６４を押す。手動測定スイッチ１６４が押されると、設定された通電時刻に達したときと同様にセンサへの通電を開始し、立ち上げ動作を経て待機状態になる。
【００５５】
この場合、センサへの通電中止までの時間を使用者によって設定することができるようにしてもよいが、操作の簡略化または混乱を避けるため、回数は例えば１〜３回、時間は例えば１〜２時間の範囲にある値を、予めデフォルト値として設定しておくと便利である。
【００５６】
なお、通電開始のタイミングは設定時刻及び手動測定スイッチによって開始される外に、通信などによって遠隔操作ができる機能を備えて、外出先で指令を出すことができるようにしても良い。もちろん、操作スイッチはリモコンに設けて計測本体に触らなくても操作できるようにしても良い。
【００５７】
次に、こうして構成された尿検査装置１０の動作、すなわち、尿検査装置１０のコントローラ３６により実行されるプログラム尿糖検査処理について説明する。
【００５８】
まず、電源投入時の動作について説明する。電源プラグをコンセントに差し込み、電源が投入された時は図３のようなフローをたどる。
【００５９】
イニシャル動作（ステップＳ１００）の後で現在時刻セット判断（ステップＳ１１０）により、給水部から給水ポンプ（図示しない）への呼び水動作（ステップＳ１２０）への移行を判断し、各モータ（送液系駆動モータ２１０、採尿アーム駆動モータ２２０）の位置出しを行い（ステップＳ１５０）、配管充填（ステップＳ２００）する。
【００６０】
そして校正液を吸引してこれを測定（ステップＳ３００）する。この際、センサ出力をＣＰＵ３００に取り込みＧａｉｎ（センサ出力の増幅度）を設定する。その後採尿アームおよび送液系の洗浄（ステップＳ４００）を行う。洗浄後排出管・センサ管充填（ステップＳ５００）を行って（ステップＳ６００）が完了し、待機状態となる。
【００６１】
通電時刻の設定は、ステップＳ６００後の測定中以外のタイミングにおいて、いつでも行なうことができる。尚、設定操作が実行されなかった場合、出荷時に設定されたデフォルト値又は以前に設定され記憶されたパターンに従う。
【００６２】
又、図示しないが、何れの場合においても、ステップＳ６００が完了した時刻が設定された通電開始時刻（所定時刻）よりも早い場合は、設定されている測定回数または通電時間（設定通電開始時刻からの通電時間）に達するまで通電し続ける。
【００６３】
更に、設定された通電開始時刻よりも遅い場合、一定の測定回数又は一定の経過時間をもって通電を中止するようにする。
【００６４】
次に、通常運転時、通電の開始から終了までの動作を中心について説明すると、通常運転時は図４のようなフローをたどる。
【００６５】
タイマー等により通電開始の時刻と判定される（ステップＳ９１０）と、センサへの通電がオンになり（ステップＳ８００）、立ち上げ動作（ステップＳ８１０）が始まる。立ち上げ動作はベースラインのチェック、センサに関する自己診断、薬液チェック、測定回数および測定時間カウンターのリセットなどを含む。
【００６６】
その後、通電表示ＬＥＤが点灯（ステップ８２０）し、測定できる待機状態になる。尚、立ち上げ動作の後、校正作業を組込んでも良く、この場合、校正作業後、通電表示ＬＥＤが点灯（ステップ８２０）する。
【００６７】
待機状態になってから校正測定判定ステップＳ７００に移し、校正と判定されたら、校正液吸引・測定（ステップＳ３００）を行ない、ステップＳ４００の洗浄に移す。
【００６８】
一方測定と判定されたら、尿採取・測定（ステップＳ７５０）を行ない、測定回数が加算されて（ステップＳ８１０）から、ステップＳ４００の洗浄に移す。又、排出管・センサ管充填（ステップＳ５００）の後は、測定回数に関する判定を行ない（ステップ８５０）、所定回数に達したと判定された場合、センサへの通電を中止し（Ｓ９００）、所定回数に達していないと判定された場合は引き続き通電時間に関する判定を行なう（Ｓ８６０）。
【００６９】
所定通電時間に達したと判定された場合、通電を中止し（ステップＳ９００）、所定通電時間に達していないと判定された場合、次回測定準備（ステップＳ６００）に移行する。
【００７０】
センサへの通電が中止されている間（ステップＳ９００とＳ８００との間）は加熱部などの部分は作動させなくても良く、又、装置の使用環境が暖かい時期または温暖地域では、加熱部の作動をセンサへの通電と連動させてもよい。
【００７１】
また、センサへの通電が中止している間に、手動測定スイッチ１６４が作動した（オン）と判定されると、図５に示すフローをたどる。基本的に図４に示す通常通電オン後の場合と同様なプロセスをたどるが、所定測定回数・所定通電時間判定（ステップＳ８５５、Ｓ８６５）および時間測定準備（ステップＳ６１０）が図５とは区別されている。
【００７２】
所定通電時刻判定（ステップＳ９１５）でＹ（イエス）と判定された場合、立ち上げ動作を経る事なく、測定回数・通電時間をリセット（ステップＳ９２０）した後、図４のステップＳ６００に入り、通常（タイマー）による通電オンの状態に移す。一方、所定通電時刻判定（ステップＳ９１５）でＮと判定された場合、通電を中止する（ステップＳ９００）。
【００７３】
以上本発明による成分測定装置の１実施例である尿検査装置についてその構造と動作について説明したが、次に本実施例におけるグルコースに対する測定感度および妨害成分選択比の経時変化について、比較例と共に紹介する。尚、比較例と実施例との違いは尿検査装置のセンサへ常時通電されているかどうかである。
【００７４】
実施例の装置と比較例の装置はそれぞれ別のトイレに設置し、約３ヶ月にわたって一般の使用者に使用させ、週一回、尿試料の代わりに標準グルコースおよびアスコルビン酸を含む試料を採尿部にかけて測定した。その結果を図６および図７に示す。
【００７５】
尚、搭載されているセンサはタンパク質（牛血清アルブミン）を主原料とする選択透過膜を有し、図９に示す構造を有するセンサであった。また、感度は単位濃度のグルコースに対する出力であり、選択比は同濃度のアスコルビン酸とグルコースとの出力電流の比較で計算されている。何れも初期値を１００とした相対値で表示されている。
【００７６】
図６から、約３ヶ月の使用期間において、グルコースに対する感度は実施例では低下がほとんど見られなかったのに対して、比較例では３０％台に低下している。また、比較例では選択比が３倍弱に上昇したのに対して、実施例での上昇幅が５０％以下であった。
【００７７】
以上のことから、本発明による成分測定装置は搭載センサの感度低下および選択性低下を押さえ、センサの使用寿命を伸ばす、顕著な効果があることが分かる。
【図面の簡単な説明】
【図１】本発明よる排泄物測定装置の構成を示す概念図である。
【図２】本発明よる排泄物測定装置の実施例である尿検査装置の電気的な構成示すブロック図である。
【図３】尿検査装置の電源投入時の動作フローを示す図である。
【図４】尿検査装置の通常運転時の動作フローを示す図である。
【図５】尿検査装置の緊急測定スイッチ作動後のの動作フローを示す図である。
【図６】測定感度の経時変化を示す図である。
【図７】選択比の経時変化を示す図である。
【図８】排泄物測定装置を備えたトイレを示す図である。
【図９】過酸化水素選択透過膜を持つバイオセンサの構成図である。
【図１０】ポテンシオスタット回路システムの例を示す図である。
【符号の説明】
５…過酸化水素電極
６…基体
７…選択透過膜
８…酵素膜
１０…排泄物測定装置
１１…計測ユニット
１２…リム取付式採尿ユニット
１３…採尿アーム
１４…洋式便器
２０…センサユニット
２２…薬液タンクＡ
２４…薬液タンクＢ
２６…コントローラー
２８…操作部
３０…表示部
１００…温度センサ
１１０…男性用スイッチ
１２０…女性用スイッチ
１３０…取り消しスイッチ
１４０…記憶／呼出スイッチ
１５０…現在時刻スイッチ
１６０…通電時刻スイッチ
１６２…校正時刻スイッチ
１６４…手動測定スイッチ
１７０…尿糖センサ
１８０…液面センサ
１９０…尿検知センサ
２００…加熱部
２１０…送液系駆動モータ
２２０…採尿アーム駆動モータ
２３０…ブザー
２４０…通信用端子
２５０…蛍光表示管
２６０…緩衝液補充ＬＥＤ
２７０…尿糖センサ交換ＬＥＤ
２８０…準備中ＬＥＤ
２９０…通電表示ＬＥＤ
３００…ＣＰＵ
３１０…ＲＡＭ
３２０…ＲＯＭ
３２５…ＥＥＰＲＯＭ
３３０…入力回路
３４０…出力回路
３５０…バックアップ電源
【図１】
2004085200.tif 000003
【図２】
2004085200.tif 000004
【図３】
2004085200.tif 000005
【図４】
2004085200.tif 000006
【図５】
2004085200.tif 000007
【図６】
2004085200.tif 000008
【図７】
2004085200.tif 000009
【図８】
2004085200.tif 000010
【図９】
2004085200.tif 000011
【図１０】
2004085200.tif 000012